(57)【要約】【課題】オーディオデータの記録された記録媒体、その記録/再生方法、その記録装置、及び再生装置を提供する。【解決手段】本発明に係る記録媒体は、オーディオデータの記録された複数のトラックを備える記録媒体において、トラックの間を識別するための識別データが前記オーディオデータから独立した記録単位で記録されていることを特徴とする。これにより、ミュート期間を所望しない場合ミュートデータを容易に削除しうる。【選択図】図３
2005141905.tif 000002
【特許請求の範囲】
【請求項１】
オーディオデータの記録された複数のトラックを備える記録媒体において、
トラックの間を識別するための識別データが前記オーディオデータから独立した記録単位で記録されていることを特徴とする記録媒体。
【請求項２】
前記識別データは、各トラックの先頭に位置する少なくとも１つの記録単位で記録されていることを特徴とする請求項１に記載の記録媒体。
【請求項３】
前記オーディオデータは、前記識別データの記録された記録単位に隣接して連続して位置された少なくとも１つの記録単位で記録されていることを特徴とする請求項２に記載の記録媒体。
【請求項４】
前記記録単位は、オーディオ個体ユニットを含み、
前記識別データは、ミュートデータを含むことを特徴とする請求項１に記載の記録媒体。
【請求項５】
前記ミュートデータによるミュート期間は、前記オーディオ個体ユニットの再生時間以下であることを特徴とする請求項４に記載の記録媒体。
【請求項６】
前記ミュート期間は、トラック開始ポイントからミュートデータの記録されたオーディオ個体ユニットまでの再生時間を含み、前記トラック開始ポイントを変更させることによって調節されることを特徴とする請求項５に記載の記録媒体。
【請求項７】
前記ミュートデータによるミュート期間が前記オーディオ個体ユニットの再生時間より長い場合、ミュートデータの記録されたオーディオ個体ユニットの数は、各オーディオ個体ユニットの再生時間の和がミュート期間を超える最小値に設定されることを特徴とする請求項４に記載の記録媒体。
【請求項８】
前記ミュート期間は、トラック開始ポイントからミュートデータの記録された最後のオーディオ個体ユニットまでの再生時間を含み、前記トラック開始ポイントを変更させることによって調節されることを特徴とする請求項７に記載の記録媒体。
【請求項９】
前記ミュート期間は、再生制御情報領域に記録されていることを特徴とする請求項４に記載の記録媒体。
【請求項１０】
前記ミュートデータのインデックス値は、０であることを特徴とする請求項４に記載の記録媒体。
【請求項１１】
複数のトラックへ/からオーディオデータを記録/再生する方法において、
トラックの間を識別するための識別データを所定の記録単位で対応トラックに記録する段階と、
前記オーディオデータを他の記録単位で記録する段階とを含むことを特徴とする記録/再生方法。
【請求項１２】
前記識別データの記録された記録単位を読出して前記識別データを再生する段階と、
前記オーディオデータの記録された記録単位を読出して前記オーディオデータを再生する段階とをさらに含むことを特徴とする請求項１１に記載の記録/再生方法。
【請求項１３】
前記識別データは、各トラックの先頭に位置する少なくとも１つの記録単位で記録されていることを特徴とする請求項１２に記載の記録/再生方法。
【請求項１４】
前記記録単位は、オーディオ個体ユニットを含み、
前記識別データは、ミュートデータを含むことを特徴とする請求項１３に記載の記録/再生方法。
【請求項１５】
前記ミュートデータによるミュート期間は、前記オーディオ個体ユニットの再生時間より短いことを特徴とする請求項１４に記載の記録/再生方法。
【請求項１６】
前記ミュート期間は、トラック開始ポイントからミュートデータの記録されたオーディオ個体ユニットまでの再生時間を含み、前記トラック開始ポイントを変更させることによって調節されることを特徴とする請求項１５に記載の記録/再生方法。
【請求項１７】
前記ミュートデータによるミュート期間が前記オーディオ個体ユニットの再生時間より長い場合、ミュートデータの記録されたオーディオ個体ユニットの数は、各オーディオ個体ユニットの再生時間の和がミュート期間を超える最小値に設定されることを特徴とする請求項１４に記載の記録/再生方法。
【請求項１８】
前記ミュート期間は、トラック開始ポイントからミュートデータの記録された最後のオーディオ個体ユニットまでの再生時間を含み、前記トラック開始ポイントを動かすことによって調節されることを特徴とする請求項１７に記載の記録/再生方法。
【請求項１９】
前記ミュート期間は、再生制御情報領域に記録されていることを特徴とする請求項１４に記載の記録/再生方法。
【請求項２０】
前記ミュートデータのインデックス値は０であることを特徴とする請求項１４に記載の記録/再生方法。
【請求項２１】
複数のトラックに記録されたオーディオデータを再生するための再生方法において、
前記トラックの間を識別するための識別データの記録された記録単位を読出して前記識別データを再生する段階と、
前記オーディオデータの記録された他の記録単位を読出して前記オーディオデータを再生する段階とを含むことを特徴とする再生方法。
【請求項２２】
前記識別データは、各トラックの先頭に位置された少なくとも１つの記録単位で記録されていることを特徴とする請求項２１に記載の再生方法。
【請求項２３】
前記記録単位は、オーディオ個体ユニットを含み、
前記識別データは、ミュートデータを含むことを特徴とする請求項２２に記載の再生方法。
【請求項２４】
前記ミュートデータによるミュート期間は、前記オーディオ個体ユニットの再生時間以下であることを特徴とする請求項２３に記載の再生方法。
【請求項２５】
前記ミュート期間は、トラック開始ポイントからミュートデータの記録されたオーディオ個体ユニットまでの再生時間を含み、前記トラック開始ポイントを動かすことによって調節されることを特徴とする請求項２３に記載の再生方法。
【請求項２６】
前記ミュートデータによるミュート期間が前記オーディオ個体ユニットの再生時間より長い場合、ミュートデータの記録されたオーディオ個体ユニットの数は、各オーディオ個体ユニットの再生時間の和がミュート期間を超える最小値に設定されることを特徴とする請求項２３に記載の再生方法。
【請求項２７】
前記ミュート期間は、トラック開始ポイントからミュートデータの記録された最後のオーディオ個体ユニットまでの再生時間を含み、前記トラック開始ポイントを動かすことによって調節されることを特徴とする請求項２６に記載の再生方法。
【請求項２８】
トラックの間を識別するための識別データが所定の記録単位で記録されており、オーディオデータが別の記録単位で記録されている記録媒体からデータを再生する再生方法において、
所定のトラックの再生命令が入力されると、対応オーディオデータの記録された記録単位を検索する段階と、
検索された記録単位を読出して前記オーディオデータを再生する段階とを含むことを特徴とする再生方法。
【請求項２９】
前記識別データは、各トラックの先頭に位置された少なくとも１つの記録単位で記録されていることを特徴とする請求項２８に記載の再生方法。
【請求項３０】
前記記録単位は、オーディオ個体ユニットを含み、
前記識別データは、ミュートデータを含むことを特徴とする請求項２９に記載の再生方法。
【請求項３１】
複数のトラックへ/からオーディオデータを記録/再生する方法において、
トラック間の識別のための識別データが記録されたか否かをチェックする段階と、
前記識別データの記録が要求される場合識別データを少なくとも１つの記録単位として対応トラックに記録する段階と、
前記オーディオデータを少なくとも１つの他の記録単位として前記トラックに記録する段階とを含む記録/再生方法。
【請求項３２】
前記識別データは、各トラックの先頭に位置された少なくとも１つの記録単位で記録されていることを特徴とする請求項３１に記載の記録/再生方法。
【請求項３３】
前記オーディオデータは、前記識別データの記録された記録単位に隣接して連続的に位置された少なくとも１つの記録単位で記録されていることを特徴とする請求項３２に記載の記録/再生方法。
【請求項３４】
各トラックの先頭に位置した記録単位を読出して前記識別データを再生する段階と、
隣接した記録単位を連続して読出し前記オーディオデータを再生する段階とをさらに含む請求項３３に記載の記録/再生方法。
【請求項３５】
前記記録単位は、オーディオ個体ユニットを含み、
前記識別データは、ミュートデータを含むことを特徴とする請求項３４に記載の記録/再生方法。
【請求項３６】
オーディオデータを複数のトラックに記録する記録装置において、
トラックの間を識別するための識別データを所定の記録単位で対応トラックに記録し、外部から入力されたオーディオデータを別の記録単位で記録することを特徴とする記録装置。
【請求項３７】
前記記録装置は、前記識別データを各トラックの先頭に位置した少なくとも１つの記録単位で記録することを特徴とする請求項３６に記載の記録装置。
【請求項３８】
前記記録装置は、前記オーディオデータを前記識別データの記録された記録単位に隣接して連続して位置する少なくとも１つの記録単位で記録することを特徴とする請求項３７に記載の記録装置。
【請求項３９】
前記記録装置は、
前記オーディオデータの記録された少なくとも１つの記録単位を生成し、前記識別データの含まれた少なくとも１つの記録単位を生成する記録単位生成部と、
前記記録単位生成部から入力された記録単位を対応トラックに記録する記録部と、
前記記録単位生成部に前記識別データの含まれた記録単位の生成命令を出力するための制御部とを含むことを特徴とする請求項３８に記載の記録装置。
【請求項４０】
前記記録単位は、オーディオ個体ユニットを含み、
前記識別データは、ミュートデータを含むことを特徴とする請求項３９に記載の記録装置。
【請求項４１】
前記制御部は、前記ミュートデータによるミュート期間が前記オーディオ個体ユニットの再生時間以下になるように対応トラック開始ポイントを前記記録部に提供し、
前記記録部は、提供されたトラック開始ポイントを前記記録媒体の再生制御情報の記録領域に記録することを特徴とする請求項４０に記載の記録装置。
【請求項４２】
前記ミュート期間は、トラック開始ポイントからミュートデータの記録されたオーディオ個体ユニットまでの再生時間を含み、前記トラック開始ポイントを変更することによって調節されることを特徴とする請求項４１に記載の記録装置。
【請求項４３】
前記制御部は、前記ミュートデータによるミュート期間が前記オーディオ個体ユニットの再生時間より長い場合、前記ミュートデータの記録されるオーディオ個体ユニットの数を前記記録単位生成部に提供し、
前記記録単位生成部は、前記制御部から伝えられた数だけ前記ミュートデータの記録されたオーディオ個体ユニットを生成することを特徴とする請求項４２に記載の記録装置。
【請求項４４】
前記ミュート期間は、トラック開始ポイントからミュートデータの記録された最後のオーディオ個体ユニットまでの再生時間を含み、前記トラック開始ポイントを動かすことによって調節されることを特徴とする請求項４３に記載の記録装置。
【請求項４５】
前記記録単位生成部により生成されるオーディオ個体ユニットの数は、各オーディオ個体ユニットの再生時間の和が前記ミュート期間を超える最小値であることを特徴とする請求項４４に記載の記録装置。
【請求項４６】
複数のトラックに記録されたオーディオデータを再生する再生装置において、
トラックの間を識別するための識別データの記録された記録単位を読出して前記識別データを再生し、前記オーディオデータの記録された他の記録単位を読出して前記オーディオデータを再生することを特徴とする再生装置。
【請求項４７】
前記再生装置は、各トラックの先頭に位置する少なくとも１つの記録単位を読出して前記識別データを再生することを特徴とする請求項４６に記載の再生装置。
【請求項４８】
前記再生装置は、前記識別データの記録された記録単位に隣接して連続的に位置された少なくとも１つの他の記録単位を読出して前記オーディオデータを再生することを特徴とする請求項４７に記載の再生装置。
【請求項４９】
前記再生装置は、
前記識別データの含まれた記録単位または前記オーディオデータの含まれた記録単位の読出命令を読出部に伝達するための制御部と、
対応トラックから記録単位を読出すための読出部と、
前記読出部により読出された記録単位を提供されて識別データまたはオーディオデータを再生するための再生部とを含むことを特徴とする請求項４８に記載の再生装置。
【請求項５０】
前記記録単位は、オーディオ個体ユニットを含み、
前記識別データは、ミュートデータを含むことを特徴とする請求項４９に記載の再生装置。
【請求項５１】
前記制御部は、使用者の入力に対応する再生制御情報を前記読出部に伝達し、
前記読出部は、対応トラックのトラック開始ポイントを有するオーディオ個体ユニットを探索し、探索されたオーディオ個体ユニットのトラック開始ポイントを探索してトラック開始ポイントからデータを読出して前記再生部に伝達することを特徴とする請求項５０に記載の再生装置。
【請求項５２】
前記ミュート期間は、トラック開始ポイントからミュートデータの記録されたオーディオ個体ユニットまでの再生時間を含み、前記トラック開始ポイントを変更することによって調節されることを特徴とする請求項５１に記載の再生装置。
【請求項５３】
前記読出部がミュートデータの記録されたオーディオ個体ユニットを読出して前記再生部に伝えられると、
前記再生部は対応ミュート期間の間に出力をミュートすることを特徴とする請求項５２に記載の再生装置。
【請求項５４】
前記制御部は、前記読出部によりミュートデータの記録されたオーディオ個体ユニットが読出されると前記再生部に出力をミュートすることを命じるミュート命令を伝達し、
前記再生部は前記制御部から受信されたミュート命令によって出力をミュートすることを特徴とする請求項５３に記載の再生装置。
【発明の詳細な説明】
【技術分野】
【０００１】
本発明はデジタルオーディオ分野に係り、特に複数のトラックにオーディオデータが記録/再生される記録媒体、その記録/再生方法、その記録装置、及び再生装置に関する。
【背景技術】
【０００２】
従来のMD(Mini Disc)のようなデジタルオーディオ記録媒体にデジタルオーディオデータを記録するデジタルオーディオ記録装置は、例えば複数の歌を記録する場合、図１に示されたように、各々トラックに記録する。ところが、複数のトラックを連続して再生する場合、トラック間に休止期間が明確でなければ２つの曲間の境界が非常に曖昧になる。
【０００３】
このため、従来のCD(Compact Disc)はミュートデータの記録されたインデックスゼロ区間を備えている。即ち、従来のデジタルオーディオ記録装置に備えられたデジタルインタフェースを通じてCDプレーヤーからデジタルオーディオデータを入力されて所定の記録媒体に記録する場合、ミュートデータの記録されたインデックスゼロ(index ０)によるミュート期間を記録するので、複数のトラックを連続して再生しても各トラック間に休止期間が存在するように記録される。
【０００４】
しかし、従来のデジタルオーディオ記録装置はインデックスゼロに記録されたミュートデータと他のインデックスに記録されたオーディオデータとを等しく取扱って同一な記録単位内に記録する。即ち、従来のデジタルオーディオ記録装置により記録されたデジタルオーディオ記録媒体には１つの基本記録単位にミュートデータとオーディオデータとが共に記録されている。ところが、通常のデジタルオーディオ記録媒体において、オーディオデータは基本記録単位を基準として記録または削除されるので、使用者がトラック間に設定されたミュート期間を削除するために１つの基本記録単位に共に記録されたオーディオデータは残し、ミュートデータのみを削除するのは事実上不可能であった。
【発明の開示】
【発明が解決しようとする課題】
【０００５】
前記問題点を解決するための本発明の目的は、デジタルオーディオデータを複数のトラックに記録する場合、ミュートデータを容易に記録して削除可能な記録媒体、その記録/再生方法、その記録装置、及び再生装置を提供することにある。
本発明の他の目的は、ミュート期間を調節しやすい記録媒体、その記録/再生方法、その記録装置、及び再生装置を提供することにある。
【０００６】
本発明のさらに他の目的は、CDプレーヤーからデジタルオーディオデータを伝送されて記録する場合、各トラックに定義されているミュート期間のインデックスゼロ区間を入力され、これに対応するミュート期間が再生されるようにミュートデータを記録しうる記録方法を提供することにある。
【課題を解決するための手段】
【０００７】
前記目的を達成するために本発明は、オーディオデータの記録された複数のトラックを具備する記録媒体において、トラックの間を識別するための識別データが前記オーディオデータから独立した記録単位で記録されていることを特徴とする記録媒体により達成される。
前記識別データは、各トラックの先頭に位置する記録単位で記録されており、前記オーディオデータは、前記識別データの記録された記録単位に隣接して連続的に位置した少なくとも１つの記録単位で記録されていることが望ましい。
【０００８】
前記記録単位は、オーディオ個体ユニット(Audio Object Unit:以下「AOBU」と称する)を含み、前記識別データは、ミュートデータを含むことがさらに望ましい。
前記ミュートデータによるミュート期間は、前記AOBUの再生時間以下であり、トラック開始ポイントからミュートデータの記録されたAOBUまでの再生時間を含み、前記トラック開始ポイントを変更させることによって調節しうる。
前記ミュート期間が前記AOBUの再生時間より長い場合、ミュートデータの記録されたAOBUの数は、各AOBUの再生時間の和がミュート期間を超える最小値に設定されることが望ましい。この際、前記ミュート期間は、トラック開始ポイントからミュートデータの記録された最後のAOBUまでの再生時間を含み、前記トラック開始ポイントを変更させることによって調節しうる。
【０００９】
また、前記ミュート期間は、再生制御情報領域に記録され、前記ミュートデータのインデックス値は、０であることが望ましい。
一方、本発明の他の分野によれば、前記目的は、複数のトラックへ/からオーディオデータを記録/再生する方法において、トラックの間を識別するための識別データを所定の記録単位として対応トラックに記録する段階と、前記オーディオデータを他の記録単位で記録する段階とを含むことを特徴とする記録/再生方法によっても達成される。
【００１０】
前記記録/再生方法は、前記識別データの記録された記録単位を読出して前記識別データを再生する段階と、前記オーディオデータの記録された記録単位を読出して前記オーディオデータを再生する段階とをさらに含むことができる。
また、前記目的は、複数のトラックに記録されたオーディオデータを再生するための再生方法において、前記トラックの間を識別するための識別データの記録された記録単位を読出して前記識別データを再生する段階と、前記オーディオデータの記録された他の記録単位を読出して前記オーディオデータを再生する段階とを含むことを特徴とする再生方法によっても達成される。
【００１１】
また、トラックの間を識別するための識別データが所定の記録単位で記録されており、オーディオデータが少なくても１つの他の記録単位として記録されている記録媒体から前記オーディオデータを再生する再生方法において、所定のトラックの再生命令が入力されると対応オーディオデータの記録された記録単位を検索する段階と、検索された記録単位を読出して前記オーディオデータを再生する段階とを含むことを特徴とする再生方法によっても達成される。
また、前記目的は、複数のトラックへ/からオーディオデータを記録/再生する方法において、トラック間の識別のための識別データが記録されたか否かをチェックする段階と、前記識別データの記録が要求される場合識別データを所定記録単位で対応トラックに記録する段階と、前記オーディオデータを前記トラックに他の記録単位として記録する段階とを含む記録/再生方法によっても達成される。
【００１２】
前記記録/再生方法は、各トラックの先頭に位置した記録単位を読出して前記識別データを再生する段階と、隣接した記録単位を連続して読出して前記オーディオデータを再生する段階とをさらに含むことができる。
前記識別データは、各トラックの先頭に位置された記録単位で記録されており、前記オーディオデータは、前記識別データの記録された記録単位に隣接して連続して位置された少なくとも１つの記録単位で記録されていることが望ましい。
前記記録単位は、AOBUを含み、前記識別データは、ミュートデータを含むことがさらに望ましい。
【００１３】
前記ミュートデータによるミュート期間は、前記AOBUの再生時間より短く、トラック開始ポイントからミュートデータの記録されたAOBUまでの再生時間を含み、前記トラック開始ポイントを変更させることによって調節しうる。
前記ミュート期間が前記AOBUの再生時間より長い場合、ミュートデータの記録されたAOBUの数は、各AOBUの再生時間の和がミュート期間を超える最小値に設定されることが望ましい。この際、前記ミュート期間は、トラック開始ポイントからミュートデータの記録された最後のAOBUまでの再生時間を含み、前記トラック開始ポイントを変更させることによって調節しうる。
また、前記ミュート期間は、再生制御情報領域に記録され、前記ミュートデータのインデックス値は０であることがさらに望ましい。
【００１４】
一方、本発明のさらに他の分野によれば、前記目的は、オーディオデータを複数のトラックで記録媒体に記録する記録装置において、トラックの間を識別するための識別データを所定の記録単位として対応トラックに記録し、外部から入力されたオーディオデータを他の記録単位で記録することを特徴とする記録装置によっても達成される。
前記記録装置は、前記識別データを各トラックの先頭に位置された記録単位で記録し、前記オーディオデータを前記識別データの記録された記録単位に隣接して連続して位置されるように記録することが望ましい。
【００１５】
このために、前記記録装置は、前記オーディオデータを加工して少なくとも１つの記録単位を生成し、前記識別データの含まれた記録単位を生成する記録単位生成部と、前記記録単位生成部から入力された記録単位を対応トラックに記録する記録部と、前記記録単位生成部に前記識別データの含まれた記録単位の生成命令を出力するための制御部とを含む。
また、前記目的は、記録媒体に複数のトラックで記録されたオーディオデータを再生する再生装置において、トラックの間を識別するための識別データが含まれた所定の記録単位を読出して前記識別データを再生し、前記オーディオデータの記録された少なくとも１つの他の記録単位を読出して前記オーディオデータを再生することを特徴とする再生装置によっても達成される。
【００１６】
前記再生装置は、各トラックの先頭に位置された記録単位を読出して前記識別データを再生し、前記識別データの記録された記録単位に隣接して連続的に位置された少なくとも１つの他の記録単位を読出して前記オーディオデータを再生する。
このために、前記識別データの含まれた記録単位または前記オーディオデータの含まれた記録単位の読出命令を読出部に伝達するための制御部と、対応トラックから記録単位を読出すための読出部と、前記読出部により読出された記録単位を提供されて識別データまたはオーディオデータを再生するための再生部とを含む。
【発明の効果】
【００１７】
前述したように本発明によれば、複数のトラックに記録されたオーディオデータのトラックの間を識別するためのミュートデータを別の独立した記録単位で記録することによって、ミュート期間を所望しない場合ミュートデータを容易に削除しうる。
また、本発明はトラック開始ポイントを変更することによってインデックスゼロ区間の長さ、即ち、ミュート期間の長さを容易に調節しうる。さらに、本発明によればCDプレーヤーからデジタルオーディオデータを伝送されて記録する場合、既存のCDの各トラックに定義されているミュート期間のインデックスゼロ区間をそのまま記録しうる。
【発明を実施するための最良の形態】
【００１８】
以下、添付した図面に基づいて本発明に係る記録媒体、その記録/再生方法、その記録装置、及び再生装置の望ましい実施形態を詳しく説明する。
本発明に係る記録/再生装置はオーディオデータを複数のトラックに記録するために、トラックの間を識別するための識別データを所定の記録単位で対応トラックに記録し、外部から入力されたオーディオデータを他の記録単位で記録する。
図２は本発明の望ましい実施形態に係る記録/再生装置のブロック図である。
図２を参照すれば、記録/再生装置１はオーディオデータと、識別データとしてミュートデータを記録するためのオーディオ記録/再生装置であって、制御部１１、記録単位生成部１２、記録/読出部１３及び再生部１４を具備する。
【００１９】
記録単位生成部１２は記録単位のAOBUを生成する。本発明によってAOBUはオーディオデータの記録されたAOBUとミュートデータの記録されたAOBUとに大別される。AOBUは外部から入力されたオーディオデータを加工し、所定のヘッダ情報を付け加えて生成する。また、ミュートデータの記録されたAOBUは本実施形態によって予め備えられ、制御部１１からミュートデータ生成命令が入力されると記録単位生成部１２から出力される。ミュートデータのために生成されるAOBUの数は各AOBUの再生時間の和が前記ミュートデータによるミュート期間を超える定数のうち最小値となる。ミュートデータの記録されるAOBUの数は制御部１１から直接伝えられたり、制御部１１から伝えられたミュート期間に対応するように記録単位生成部１２により決定されうる。
【００２０】
記録/読出部１３は記録単位生成部１２からAOBUを入力されて対応トラックに記録したり、複数のトラックの記録された記録媒体１００の所定のトラックからAOBUを読出す。また、記録/読出部１３は制御部１１から伝えられたトラック開始ポイントを記録媒体１００上の再生制御情報の記録される領域に記録したり、再生制御情報の記録された領域からトラック開始ポイントを読出す。
制御部１１はAOBUの記録のために、ミュートデータの記録されるAOBUの生成命令を記録単位生成部１２に伝達し、記録/読出部１３にAOBUの記録命令を伝達する。
【００２１】
また、制御部１１は再生または記録のために、データ読出のための開始位置を示すトラック開始ポイントを記録/読出部１３に提供する。制御部１１はAOBUの再生のために、記録/読出部１３にAOBUの読出命令を伝達する。さらに、該当トラックのトラック開始ポイントを含む再生制御情報を記録/読出部１３に提供する。記録/読出部１３はトラック開始ポイントに記録されたミュートデータから読出し始めるのでミュートデータのための最後のAOBUまでの再生時間がミュート期間となる。即ち、トラック開始ポイントを変更することによってミュート期間を調節しうる。
【００２２】
また、制御部１１はトラック開始ポイントがミュートデータの記録されたAOBUに存在したり、トラック開始ポイントから読出されるAOBUのうちミュートデータの記録されたAOBUが存在する場合、ミュートデータの記録されたAOBUの再生が終了されるまで出力をミュートすることを要求するミュート命令を再生部１４に伝達する。
再生部１４は記録/読出部１３から提供されたAOBUを再生する。但し、ミュートデータのためのAOBUの場合、制御部１１のミュート命令によって出力をミュートする。
【００２３】
本発明に係る記録媒体には、デジタルオーディオデータが複数のトラックに記録されている。各トラックにはトラックの間を識別するための識別データとしてミュートデータが記録された少なくとも１つの記録単位、及びデジタルオーディオデータが記録された少なくとも１つの記録単位が隣接して連続的に記録されている。ミュートデータの記録された記録単位はオーディオデータに記録された記録単位とは違って独立して備えられる。即ち、ミュートデータの記録された記録単位にはオーディオデータが含まれていない。記録単位は実質的に同一な再生期間を有する。以下、説明の便宜上、本実施形態に係る記録単位のAOBUは１秒の再生時間を有すると仮定する。但し、ここで各AOBUの再生時間は必要に応じて多様に設定されうる。
図３はミュート期間がAOBUの再生時間以下である場合、本発明によって各トラックに記録されたAOBUの一例である。
【００２４】
図３を参照すれば、デジタルオーディオデータを各トラックに記録するに当たって、トラック間にミュート期間が必要な場合には各トラックの先頭に位置したAOBUに対応ミュートデータを記録する。ミュート期間がAOBUの再生時間より短いため、即ち１秒と同一か１秒より小さいため、１つのAOBUにミュートデータを記録する。示されたように、ミュート期間は再生開始地点を意味するトラック開始ポイントからミュートデータの記録されたAOBUの最後まで再生するのにかかる再生時間となる。従って、トラック開始ポイントが変更されるとミュート期間が変わることを確認しうる。トラック開始ポイントの変更は使用者の選択によって行われる。一方、入力されるオーディオデータはミュートデータの記録されたAOBUとは別のAOBUで加工生成されてミュートデータの記録されたAOBUに隣接して連続的に記録されることが分かる。
【００２５】
図４はミュート期間がAOBUの再生時間を超える場合、本発明によって各トラックに記録されたAOBUの他の例である。
ミュート期間がAOBUの再生時間、即ち１秒を超えるので、複数のAOBUにミュートデータを記録する。オーディオデータは記録されず、ミュートデータのみが記録された複数のAOBUは各トラックの先頭から順次に隣接して位置する。この際、ミュートデータの記録されたAOBUの数はミュートデータの記録された各AOBUの再生時間の和がミュート期間と同一か超過する最小値となることが望ましい。
【００２６】
例えば、図４を参照すれば、AOBUの再生時間が１秒、ミュート期間が１．５秒に設定される場合、ミュート期間を超えるAOBU再生時間の定数倍のうち最小値は２秒となる。従って、ミュートデータの記録された２つのAOBUが記録される。さらに、トラック開始ポイントからミュートデータのための最後のAOBUの終了までの総再生時間がミュート期間と同一になるようにトラック開始ポイントを設定する。一方、入力されるオーディオデータはミュートデータの記録されたAOBUとは別のAOBUで加工生成されて記録される。
【００２７】
図３及び４を参照すれば、本発明に係る記録媒体は、従来の１つのAOBUにミュートデータとオーディオデータとが共に記録されたのとは違って、ミュートデータのためのAOBUとオーディオデータのためのAOBUとが別に独立して記録される。これにより、ミュート期間を削除しようとする使用者はミュートデータの記録されたAOBUを削除することによってミュート期間を容易に無くせる。記録/再生装置は記録単位を基準として記録、編集、削除を行うからである。
【００２８】
一方、ミュート期間はCDのようにインデックスゼロというインデックス値が与えられ、インデックスゼロ期間は再生制御情報領域に記録される。記録器の備えられたCDプレーヤー(CD記録/再生装置とも称する)から図２の記録/再生装置１に備えられたデジタルオーディオインタフェース(図示せず)を通じて入力されるデジタルオーディオデータを記録媒体１００に記録する場合、各トラックの最初部分にインデックスゼロ(ミュート期間)が含まれていると記録/再生装置１はミュートデータのためのAOBUにミュート期間に対応するようにミュートデータを記録し、トラック開始ポイントからオーディオデータの入力時点までの期間がミュート期間となるようにトラック開始ポイントを指定し、該当トラック開始ポイントからオーディオデータの入力時点までの区間をインデックス０に割当てる一方、インデックス０を有するミュート期間を記録媒体１００の再生制御情報領域に記録する。このように記録媒体１００に連続して記録されている複数のトラックを記録/再生装置１により再生する場合、現在再生中のトラックから次のトラックに進行する際、トラック間の識別のためにインデックス０区間では出力をミュートさせ、インデックス０区間(ミュート期間)が終わるとミュート動作を終了してオーディオデータを再生し始める。
【００２９】
図５は本発明の望ましい実施形態に係るデジタルオーディオデータの記録方法を説明するためのフローチャートである。
図５を参照すれば、記録モード時、記録/再生装置１の制御部１１は新たなトラックを記録する場合ミュート期間が必要なのかをチェックする(S１段階)。
ミュート期間が必要な場合、制御部１１は記録単位生成部１２にミュートデータの記録されたAOBUの生成命令を伝達する。この際、生成されるAOBUの数とミュート期間とが共に伝えられる。これに、記録単位生成部１２は伝えられたAOBUの数またはミュート期間に対応するようにミュートデータの記録されたAOBUを生成して記録/読出部１３に伝達し、記録/読出部１３はミュートデータの記録されたAOBUを記録する(S２段階)。ミュート期間が１AOBUの再生期間と同一か短いとミュートデータの記録されたAOBUの数は１つとなり、前述したように、ミュート期間はトラック開始ポイントを通じて調節される。制御部１１はミュート期間をインデックス０に割当て、インデックス０を対応再生制御情報領域に記録することを記録/読出部１３に命令する。
【００３０】
次いで、記録/再生装置１はデジタルオーディオデータの含まれたAOBUを記録する(S３段階)。
図６は本発明の望ましい実施形態に係るデジタルオーディオ再生方法を説明するための流れ図である。
図６を参照すれば、再生モード時、記録/再生装置１の制御部１１は使用者入力に対応する再生制御情報を記録/読出部１３に伝達し、記録/読出部１３は記録媒体１００を探索して対応トラックのトラック開始ポイントを有するAOBUを探索する(S１１段階)。
【００３１】
次いで、記録/読出部１３は探索されたAOBUのトラック開始ポイントを探索する(S１２段階)。
次いで、記録/読出部１３は探索されたトラック開始ポイントからインデックス０の与えられたデータを読出して再生部１４に伝達し、再生部１４は伝えられたミュートデータに対応するように出力をミュートさせる(S１３段階)。ミュートデータを構成するデータの内容及び形式は多様に決定されうる。なぜなら、ミュートデータは対応ミュート期間中にのみ出力がミュートされればいいからである。また、ミュート動作を行う制御方法は多様に決定されうる。例えば、前記S１３段階の代わりに記録/読出部１３がミュートデータを読出すと制御部１１は再生部１４にミュート命令を伝達し、これによって再生部１４をして出力をミュートさせるようにするプロセスもできる。
【００３２】
ミュート期間が終了すると、記録/読出部１３はインデックス１に該当するオーディオデータをAOBU単位で読出して再生部１４に伝達し、再生部１４はAOBUを解読してオーディオを再生する(S１４段階)。
本実施形態では、記録装置及び再生装置が一体に備えられた記録/再生装置１について説明したが、記録装置及び再生装置を各々分離して具現することもできる。記録装置の場合、図２の記録/再生装置１において再生のための再生部１４が除かれ、記録/読出部１３の再生のためのデータ読出及び制御部１１の再生のための制御が不要となる。再生装置の場合、逆に記録のための記録単位生成部１２が除かれ、記録/読出部１３の記録装置としてのデータ記録及び制御部１１のデータ記録のための制御が不要となる。
【００３３】
一方、本発明に係る記録/再生装置１は従来のCDプレーヤーなどの再生装置と同様に、直ちに特定のトラックに記録されたオーディオデータ、本実施形態におけるデジタルオーディオデータを再生すべき場合、ミュートデータを再生せずに特定のトラックにおけるデジタルオーディオデータの記録された最初のAOBUを探索して再生しうる。この際、本発明に係る記録媒体１００にはミュートデータとオーディオデータとが各々別のAOBUに記録されているので、AOBUの位置のみで対応オーディオデータの開始位置を探し出せる。即ち、従来の再生装置により記録媒体のオーディオデータの開始位置を探索するためには記録単位の位置及び記録単位内のオーディオデータの位置を全て把握すべき２段階の検索が必要であったが、本発明に係る記録媒体１００及び記録/再生装置１によればAOBUの位置のみで検索可能なので検索時間が短縮される。
【図面の簡単な説明】
【００３４】
【図１】従来のオーディオトラック連結構造の概略図である。
【図２】本発明の望ましい実施形態に係る記録/再生装置のブロック図である。
【図３】本発明に係るデジタルオーディオデータの記録されたトラックの一例である。
【図４】本発明に係るデジタルオーディオデータの記録されたトラックの他の例である。
【図５】本発明に係るデジタルオーディオ記録方法の一実施形態を説明するためのフローチャートである。
【図６】本発明に係るデジタルオーディオ再生方法の一実施形態を説明するためのフローチャートである。
【符号の説明】
【００３５】
１…記録／再生装置
１１…制御部
１２…記録単位生成部
１３…記録／読出部
１４…再生部
１００…記録媒体
【図１】
2005141905.tif 000003
【図２】
2005141905.tif 000004
【図３】
2005141905.tif 000005
【図４】
2005141905.tif 000006
【図５】
2005141905.tif 000007
【図６】
2005141905.tif 000008